(57)【要約】【課題】複数の階層から構成される情報の、各階層への分離や、分離した階層の合成を容易に行う。【解決手段】表示部１１０−１〜１１０−３のうちの第１の表示部に、複数の階層に分離可能な合成情報が表示されている状態で、センサ１２０が第１の操作を検知した場合、分離部１３０が、合成情報を複数の階層に分離し、制御部１５０が、分離した複数の階層それぞれを、表示部１１０−１〜１１０−３それぞれに割り当てて表示可能にする。【選択図】図１
2013068876.tif 000002
【特許請求の範囲】
【請求項１】
表示装置であって、
互いに重ね合わされた複数の表示部と、
前記複数の表示部のそれぞれの一辺を保持する保持部と、
前記表示装置に対する所定の操作を検知するセンサと、
前記複数の表示部のうちの第１の表示部に、複数の階層に分離可能な合成情報を表示中に、前記センサが第１の操作を検知した場合、前記合成情報を前記複数の階層に分離する分離部と、
前記分離部が分離した複数の階層それぞれを、前記複数の表示部それぞれに割り当てて表示可能にする制御部とを有する表示装置。
【請求項２】
表示装置であって、
互いに重ね合わされた複数の表示部と、
前記複数の表示部のそれぞれの一辺を保持する保持部と、
当該表示装置に対する所定の操作を検知するセンサと、
前記複数の表示部それぞれに、複数の階層に分離可能な合成情報の該複数の階層それぞれが表示可能な状態で、前記センサが第２の操作を検知した場合、前記階層を合成情報として合成する合成部と、
前記合成部が合成した合成情報を、前記複数の表示部のうちの第１の表示部に割り当てて表示可能にする制御部とを有する表示装置。
【請求項３】
請求項１または請求項２に記載の表示装置において、
前記第１の表示部は、前記複数の表示部の最前面に位置することを特徴とする表示装置。
【請求項４】
請求項１に記載の表示装置において、
前記センサは、前記第１の表示部の表示面を叩く操作を前記第１の操作として検知することを特徴とする表示装置。
【請求項５】
請求項１に記載の表示装置において、
前記センサは、前記第１の表示部の表示面への接触を前記第１の操作として検知することを特徴とする表示装置。
【請求項６】
請求項１に記載の表示装置において、
前記センサは、当該表示装置の振動を前記第１の操作として検知することを特徴とする表示装置。
【請求項７】
表示装置が具備する、互いに重ね合わされた複数の表示部に情報を表示させる表示方法であって、
前記表示装置に対する所定の操作を検知する検知処理と、
前記複数の表示部のうちの第１の表示部に、複数の階層に分離可能な合成情報を表示中に、第１の操作を検知した場合、前記合成情報を前記複数の階層に分離する処理と、
前記分離した複数の階層それぞれを、前記複数の表示部それぞれに割り当てて表示可能にする処理とを行う表示方法。
【請求項８】
表示装置が具備する、互いに重ね合わされた複数の表示部に情報を表示させる表示方法であって、
前記表示装置に対する所定の操作を検知する検知処理と、
前記複数の表示部それぞれに、複数の階層に分離可能な合成情報の該複数の階層それぞれが表示可能な状態で、第２の操作を検知した場合、前記階層を前記合成情報として合成する合成処理と、
前記合成した合成情報を、前記複数の表示部のうちの第１の表示部に割り当てて表示可能にする処理とを行う表示方法。
【請求項９】
互いに重ね合わされた複数の表示部を具備する表示装置に、
当該表示装置に対する所定の操作を検知する検知手順と、
前記複数の表示部のうちの第１の表示部に、複数の階層に分離可能な合成情報を表示中に、第１の操作を検知した場合、前記合成情報を前記複数の階層に分離する手順と、
前記分離した複数の階層それぞれを、前記複数の表示部それぞれに割り当てて表示可能にする手順とを実行させるためのプログラム。
【請求項１０】
互いに重ね合わされた複数の表示部を具備する表示装置に、
当該表示装置に対する所定の操作を検知する検知手順と、
前記複数の表示部それぞれに、複数の階層に分離可能な合成情報の該複数の階層それぞれが表示可能な状態で、第２の操作を検知した場合、前記階層を前記合成情報として合成する合成手順と、
前記合成した合成情報を、前記複数の表示部のうちの第１の表示部に割り当てて表示可能にする手順とを実行させるためのプログラム。
【発明の詳細な説明】
【技術分野】
【０００１】
本発明は、情報を表示する表示装置、表示方法およびプログラムに関する。
【背景技術】
【０００２】
近年、情報を表示するディスプレイが搭載された電子機器（以下、表示装置と称する）には、多種多様な情報が表示される。このような表示装置の中には、複数の薄い表示媒体から構成され、書籍のように利用することができるものも考えられている（例えば、特許文献１参照。）。
【先行技術文献】
【特許文献】
【０００３】
【特許文献１】特開２００３−５８０８１号公報
【発明の概要】
【発明が解決しようとする課題】
【０００４】
ディスプレイに表示される画像データは、複数のレイヤ（階層）から構成されるものもある。
【０００５】
しかしながら、上述した技術においては、この複数の階層のうち、１つの階層の情報だけを取得したり、各階層の情報に分離したり、それぞれの階層の情報を細工（例えば、ある範囲への所定の色での塗りつぶし）したり、また分離した階層の情報を合成したりするには、専用のアプリケーション等を起動し、所定のコマンドの入力により、階層の選択・分離・合成を行う必要があり、その手間がかかってしまうという問題点がある。
【０００６】
本発明の目的は、上述した課題を解決する表示装置、表示方法およびプログラムを提供することである。
【課題を解決するための手段】
【０００７】
本発明の表示装置は、
表示装置であって、
互いに重ね合わされた複数の表示部と、
前記複数の表示部のそれぞれの一辺を保持する保持部と、
当該表示装置に対する所定の操作を検知するセンサと、
前記複数の表示部のうちの第１の表示部に、複数の階層に分離可能な合成情報を表示中に、前記センサが第１の操作を検知した場合、前記合成情報を前記複数の階層に分離する分離部と、
前記分離部が分離した複数の階層それぞれを、前記複数の表示部それぞれに割り当てて表示可能にする制御部とを有する。
【０００８】
また、表示装置であって、
互いに重ね合わされた複数の表示部と、
前記複数の表示部のそれぞれの一辺を保持する保持部と、
当該表示装置に対する所定の操作を検知するセンサと、
前記複数の表示部それぞれに、複数の階層に分離可能な合成情報の該複数の階層それぞれが表示可能な状態で、前記センサが第２の操作を検知した場合、前記階層を合成情報として合成する合成部と、
前記合成部が合成した合成情報を、前記複数の表示部のうちの第１の表示部に割り当てて表示可能にする制御部とを有する。
【０００９】
また、本発明の表示方法は、
表示装置が具備する、互いに重ね合わされた複数の表示部に情報を表示させる表示方法であって、
当該表示装置に対する所定の操作を検知する検知処理と、
前記複数の表示部のうちの第１の表示部に、複数の階層に分離可能な合成情報を表示中に、第１の操作を検知した場合、前記合成情報を前記複数の階層に分離する処理と、
前記分離した複数の階層それぞれを、前記複数の表示部それぞれに割り当てて表示可能にする処理とを行う。
【００１０】
また、表示装置が具備する、互いに重ね合わされた複数の表示部に情報を表示させる表示方法であって、
当該表示装置に対する所定の操作を検知する検知処理と、
前記複数の表示部それぞれに、複数の階層に分離可能な合成情報の該複数の階層それぞれが表示可能な状態で、第２の操作を検知した場合、前記階層を前記合成情報として合成する合成処理と、
前記合成した合成情報を、前記複数の表示部のうちの第１の表示部に割り当てて表示可能にする処理とを行う。
【００１１】
また、本発明のプログラムは、
互いに重ね合わされた複数の表示部を具備する表示装置に実行させるためのプログラムであって、
当該表示装置に対する所定の操作を検知する検知手順と、
前記複数の表示部のうちの第１の表示部に、複数の階層に分離可能な合成情報を表示中に、第１の操作を検知した場合、前記合成情報を前記複数の階層に分離する手順と、
前記分離した複数の階層それぞれを、前記複数の表示部それぞれに割り当てて表示可能にする手順とを実行させる。
【００１２】
また、互いに重ね合わされた複数の表示部を具備する表示装置に実行させるためのプログラムであって、
当該表示装置に対する所定の操作を検知する検知手順と、
前記複数の表示部それぞれに、複数の階層に分離可能な合成情報の該複数の階層それぞれが表示可能な状態で、第２の操作を検知した場合、前記階層を前記合成情報として合成する合成手順と、
前記合成した合成情報を、前記複数の表示部のうちの第１の表示部に割り当てて表示可能にする手順とを実行させる。
【発明の効果】
【００１３】
以上説明したように、本発明においては、複数の階層から構成される情報の、各階層への分離や、分離した階層の合成を容易に行うことができる。
【図面の簡単な説明】
【００１４】
【図１】本発明の表示装置の実施の一形態を示す図である。
【図２】図１に示した表示装置の外観の一例を示す図である。
【図３】図１に示した表示装置における表示方法のうち、図１に示したセンサが、表示部の表示面を叩く操作を第１の操作として検知した場合の処理を説明するためのフローチャートである。
【図４】図１に示した表示部に、複数の階層に分離可能な画像等の合成情報が表示されている様子の一例を示す図である。
【図５】図１に示した表示部に表示された各階層の一例を示す図である。
【図６】図１に示した表示装置における表示方法のうち、図１に示したセンサが、表示部の表示面への接触を第１の操作として検知した場合の処理を説明するためのフローチャートである。
【図７】図１に示した表示装置における表示方法のうち、図１に示したセンサが、表示装置の振動を第１の操作として検知した場合の処理を説明するためのフローチャートである。
【図８】図１に示した表示装置における表示方法のうち、図１に示したセンサが、表示部の表示面への押下を第１の操作として検知した場合の処理を説明するためのフローチャートである。
【図９】図１に示した表示装置における表示方法のうち、図１に示したセンサが、表示装置の傾きの変化を第１の操作として検知した場合の処理を説明するためのフローチャートである。
【図１０】図１に示した表示装置における表示方法のうち、合成情報が分離されて表示部に表示された階層を編集する処理を説明するためのフローチャートである。
【図１１】図１に示した表示装置における表示方法のうち、図１に示したセンサが、表示部の背面を叩く操作を第２の操作として検知した場合の処理を説明するためのフローチャートである。
【図１２】図１に示した表示装置における表示方法のうち、図１に示したセンサが、表示部の背面への接触を第２の操作として検知した場合の処理を説明するためのフローチャートである。
【図１３】図１に示した表示装置における表示方法のうち、図１に示したセンサが、表示装置の振動を第２の操作として検知した場合の処理を説明するためのフローチャートである。
【図１４】図１に示した表示装置における表示方法のうち、図１に示したセンサが、表示部の背面への押圧を第２の操作として検知した場合の処理を説明するためのフローチャートである。
【図１５】図１に示した表示装置における表示方法のうち、図１に示したセンサが、表示装置の傾きの変化を第２の操作として検知した場合の処理を説明するためのフローチャートである。
【図１６】図１に示した表示装置における表示方法のうち、図１に示したセンサが、表示部の表示面への接触と背面への接触とを、第２の操作として検知した場合の処理を説明するためのフローチャートである。
【発明を実施するための形態】
【００１５】
以下に、本発明の実施の形態について図面を参照して説明する。
【００１６】
図１は、本発明の表示装置の実施の一形態を示す図である。
【００１７】
本形態における表示装置１００には図１に示すように、複数の表示部１１０−１〜１１０−３と、センサ１２０と、分離部１３０と、合成部１４０と、制御部１５０と、編集部１６０とが設けられている。なお、図１においては、表示装置１００が具備する構成要素のうち、本発明に関わるもののみを示した。また、図１において、表示部が３つである場合を例に挙げて示しているが、２つ、もしくは４つ以上であっても良い。
【００１８】
表示部１１０−１〜１１０−３は、画像や文字等の情報を表示する。また、表示部１１０−１〜１１０−３は、互いに重ね合わされた表示媒体の面上に配置されたものであり、表示媒体の表面のみ、または表面と裏面とに設けられているものであっても良い。また、表示部１１０−１〜１１０−３は、薄い表示媒体である電子ペーパーであっても良い。
【００１９】
表示装置１００は、これらの表示媒体を重ね、当該表示媒体の一辺を着脱可能に保持する保持部を有するため、冊子状の形状として利用可能である。なお、保持部は、各表示媒体を着脱可能かつ見開き可能に保持する保持構造を取ることも可能である。
【００２０】
センサ１２０は、表示装置１００を操作する操作者による表示装置１００に対する所定の操作を検知する。このセンサ１２０が検知する操作は、表示部１１０−１〜１１０−３に表示されている、複数の階層に分離可能な合成情報である１つの文書や画像を複数の階層（レイヤ）へ分離したり（第１の操作）、表示部１１０−１〜１１０−３にて複数の階層に分離されて表示されている文書や画像（階層）を、合成情報である１つの文書や画像に合成したり（第２の操作）するために、操作者が直観的に行う操作である。また、センサ１２０が取り付けられる位置は、以下に説明する操作を検知できる位置である。
【００２１】
例えば、センサ１２０は、表示部１１０−１〜１１０−３のいずれかに合成情報が表示されている状態で、表示部１１０−１〜１１０−３のうち合成情報が表示されている表示部の表示面を叩く操作を第１の操作として検知するものであっても良い。ここで、叩く操作の検知は、圧力センサ等を用いて、ごく短い時間で、あらかじめ設定された圧力以上の押圧を検知することによる。
【００２２】
また、センサ１２０は、表示部１１０−１〜１１０−３のいずれかに合成情報が表示されている状態で、接触センサや近接センサ等を用いて、表示部１１０−１〜１１０−３のうち合成情報が表示されている表示部の表示面への接触を第１の操作として検知するものであっても良い。
【００２３】
また、センサ１２０は、表示部１１０−１〜１１０−３のいずれかに合成情報が表示されている状態で、表示装置１００に生じる振動を検知可能な振動センサであり、その検知した検知情報を第１の操作として検知するものであっても良い。
【００２４】
また、センサ１２０は、表示部１１０−１〜１１０−３のいずれかに合成情報が表示されている状態で、表示部１１０−１〜１１０−３のうち合成情報が表示されている表示部の表示面への所定値以上の押圧を検知可能なものであり、その押圧を第１の操作として検知するものであっても良い。この場合、操作者が、指を表示部の表示面へ所定の時間以上押しつけると、センサ１２０がこのような押圧を検知することが考えられる。
【００２５】
また、センサ１２０は、表示装置１００の傾きの変化を検知可能な傾きセンサであり、表示部１１０−１〜１１０−３のいずれかに合成情報が表示されている状態で、表示装置１００に生じる傾きの変化を第１の操作として検知するものであっても良い。例えば、操作者が、表示装置１００を立たせた状態（書籍を立たせたような状態）から寝かせた（倒した）状態（書籍を横に寝かせたような状態）へ変化させたとき、このような傾きの変化を検知することが考えられる。
【００２６】
また、センサ１２０は、分離された複数の階層それぞれが表示部１１０−１〜１１０−３に表示されている状態で、表示部１１０−１〜１１０−３のいずれかの裏面への圧力を検知可能な圧力センサであり、その圧力の検知を、叩く操作を第２の操作として検知するものであっても良い。
【００２７】
また、センサ１２０は、分離された複数の階層それぞれが表示部１１０−１〜１１０−３に表示されている状態で、接触センサや近接センサ等を用いて、その表示部１１０−１〜１１０−３のいずれかの背面への接触を第２の操作として検知するものであっても良い。
【００２８】
また、センサ１２０は、分離された複数の階層それぞれが表示部１１０−１〜１１０−３に表示されている状態で、振動センサ等を用いて、表示装置１００の振動を第２の操作として検知するものであっても良い。
【００２９】
また、センサ１２０は、分離された複数の階層それぞれが表示部１１０−１〜１１０−３に表示されている状態で、圧力センサ等を用いて、その表示部１１０−１〜１１０−３のいずれかの背面への押圧を第２の操作として検知するものであっても良い。この場合、操作者が、指を表示部の背面へ押しつけると、センサ１２０がこのような押圧を検知することが考えられる。
【００３０】
また、センサ１２０は、分離された複数の階層それぞれが表示部１１０−１〜１１０−３に表示されている状態で、傾きセンサ等を用いて、表示装置１００の傾きの変化を第２の操作として検知するものであっても良い。例えば、操作者が、表示装置１００を寝かせた（倒した）状態から立たせた状態へ変化させたとき、このような傾きの変化を検知することが考えられる。
【００３１】
また、センサ１２０は、分離された複数の階層それぞれが表示部１１０−１〜１１０−３に表示されている状態で、接触センサや近接センサ等を用いて、階層を表示している表示部のうちで、最前面の表示部の表示面への接触と、最背面の表示部の背面への接触とを、第２の操作として検知するものであっても良い。これは、操作者が、表示部１１０−１〜１１０−３をまとめて指でつまむような操作を行うことで検知される。
【００３２】
分離部１３０は、表示部１１０−１〜１１０−３のうちの１つの表示部（第１の表示部）に、複数の階層に分離可能な合成情報が表示されている状態で、センサ１２０が第１の操作を検知した場合、合成情報を複数の階層に分離する。
【００３３】
合成部１４０は、表示部１１０−１〜１１０−３それぞれに、合成情報が分離された複数の階層それぞれが表示されている状態で、センサ１２０が第２の操作を検知した場合、その複数の階層を合成情報として合成する。また、合成部１４０は、編集部１６０が階層を編集した後にセンサ１２０が第２の操作を検知した場合、編集した階層を合成情報として合成する。
【００３４】
制御部１５０は、分離部１３０が分離した複数の階層それぞれを、表示部１１０−１〜１１０−３それぞれに表示させる。また、制御部１５０は、合成部１４０が合成した合成情報を、表示部１１０−１〜１１０−３のうちの１つの表示部に表示させる。
【００３５】
編集部１６０は、表示部１１０−１〜１１０−３それぞれに表示している階層に対して、外部からの入力によって、編集を行う。
【００３６】
図２は、図１に示した表示装置１００の外観の一例を示す図である。
【００３７】
図１に示した表示装置１００は図２に示すように、３つの表示部１１０−１〜１１０−３が、表示媒体である電子ペーパーであり、互いに重ね合わされて、書籍のページのように一辺を保持部１７０で固定して位置されている。また、センサ１２０が、表示部１１０−１〜１１０−３のそれぞれに設けられているものが好ましい。
【００３８】
なお、図２に示すような外観を持つ表示装置１００の場合、制御部１５０は、表示部１１０−１〜１１０−３のうち、どの表示部が最前面に位置するかを識別する必要がある場合がある。そのためには、保持部１７０内に、各表示媒体があらかじめ有する識別情報等を元に、いずれの位置に保持されている状態であるかを検知する検知手段や、表示部１１０−１〜１１０−３が、角度変化等を検知する検知手段により、どのような形状変化を伴う操作が行われたかを検出する機構を設けておき、その機構を用いて行っても良い。また、表示部１１０−１〜１１０−３それぞれの表示面側（表示部内であっても良いし、表示部が配置されている表示媒体上であっても良い）に光センサを設けておき、その光センサのうち、光を検知した光センサが設けられている表示部を、最前面に位置する表示部であると識別するものであっても良い。
【００３９】
以下に、図１に示した表示装置１００における表示方法について説明する。まずは、図１に示した表示装置１００における表示方法のうち、図１に示したセンサ１２０が、表示部１１０−１〜１１０−３の表示面を叩く操作を第１の操作として検知した場合の処理について説明する。
【００４０】
図３は、図１に示した表示装置１００における表示方法のうち、図１に示したセンサ１２０が、表示部１１０−１〜１１０−３の表示面を叩く操作を第１の操作として検知した場合の処理を説明するためのフローチャートである。ここでは、表示部１１０−１に合成情報が表示されている場合を例に挙げて説明する。
【００４１】
まず、表示部１１０−１〜１１０−３のいずれかに、複数の階層に分離可能な画像等の合成情報が表示されているかどうかを制御部１５０が判別する（ステップＳ１）。
【００４２】
図４は、図１に示した表示部１１０−１に、複数の階層に分離可能な画像等の合成情報が表示されている様子の一例を示す図である。
【００４３】
図４に示すように、重なり合っている表示部１１０−１〜１１０−３のうち、最前面である表示部１１０−１を第１の表示部として画像が表示されている。また、表示部１１０−２〜１１０−３には、何も表示されていない状態であることが好ましい。
【００４４】
表示部１１０−１〜１１０−３のいずれかに、複数の階層に分離可能な画像等の合成情報が表示されていると判別されると、センサ１２０が、表示部１１０−１〜１１０−３のうち合成情報が表示されている表示部１１０−１の表示面を叩く操作を第１の操作として検知したかどうかを、制御部１５０が判別する（ステップＳ２）。
【００４５】
センサ１２０が、表示部１１０−１の表示面を叩く操作を第１の操作として検知したと、制御部１５０が判別すると、分離部１３０が、表示部１１０−１に表示されている合成情報を複数の階層に分離する（ステップＳ３）。
【００４６】
好ましくは、合成情報が表示されている表示部１１０−１の表示面を下方向に叩く動作を検知したとき、制御部１５０は、叩いた方向である、表示部１１０−１に対して下層に位置する各表示媒体上の表示部に、各階層に分離した情報を表示させる。
【００４７】
続いて、分離部１３０が分離した階層を、制御部１５０が表示部１１０−１〜１１０−３に表示させる（ステップＳ４）。
【００４８】
図５は、図１に示した表示部１１０−１〜１１０−３に表示された各階層の一例を示す図である。ここでは、図４に示した合成情報が、文字（「こんにちは。」）の階層と、人物の画像の階層と、背景の画像（木、太陽、空等）の階層との３つの階層から構成され、これらの階層のうち、文字の階層が最前面の階層であり、背景の画像が最背面の画像である場合を例に挙げて説明する。
【００４９】
図５に示すように、図４にて表示部１１０−１に表示されていた合成画像のうち、文字の階層が表示部１１０−１に表示され、人物の画像の階層が表示部１１０−２に表示され、背景の画像の階層が表示部１１０−３に表示される。
【００５０】
なお、ここでは、表示部の数と階層の数とが同じ場合を例に挙げて説明したが、表示部の数が階層の数よりも多い場合は、階層の数だけの表示部を用いて各階層を表示させるものであっても良い。また、表示部の数が階層の数よりも少ない場合は、ある表示部には複数の階層を表示させるものであっても良い。
【００５１】
次に、図１に示した表示装置１００における表示方法のうち、図１に示したセンサ１２０が、表示部１１０−１〜１１０−３の表示面への接触を第１の操作として検知した場合の処理について説明する。
【００５２】
図６は、図１に示した表示装置１００における表示方法のうち、図１に示したセンサ１２０が、表示部１１０−１〜１１０−３の表示面への接触を第１の操作として検知した場合の処理を説明するためのフローチャートである。ここでは、表示部１１０−１に合成情報が表示されている場合を例に挙げて説明する。
【００５３】
まず、表示部１１０−１〜１１０−３のいずれかに、複数の階層に分離可能な画像等の合成情報が表示されているかどうかを制御部１５０が判別する（ステップＳ１１）。
【００５４】
表示部１１０−１〜１１０−３のいずれかに、複数の階層に分離可能な画像等の合成情報が表示されていると判別されると、センサ１２０が、表示部１１０−１〜１１０−３のうち合成情報が表示されている表示部１１０−１の表示面への接触を検知したかどうかを、制御部１５０が判別する（ステップＳ１２）。このとき、センサ１２０は、接触センサや近接センサ等を用いて、指等の接触体の表示面への接触を検知する。
【００５５】
センサ１２０が、表示部１１０−１の表示面への接触を第１の操作として検知したと、制御部１５０が判別すると、分離部１３０が、表示部１１０−１に表示されている合成情報を複数の階層に分離する（ステップＳ１３）。
【００５６】
続いて、分離部１３０が分離した階層を、制御部１５０が表示部１１０−１〜１１０−３に表示させる（ステップＳ１４）。
【００５７】
次に、図１に示した表示装置１００における表示方法のうち、図１に示したセンサ１２０が、表示装置１００の振動を第１の操作として検知した場合の処理について説明する。
【００５８】
図７は、図１に示した表示装置１００における表示方法のうち、図１に示したセンサ１２０が、表示装置１００の振動を第１の操作として検知した場合の処理を説明するためのフローチャートである。ここでは、表示部１１０−１に合成情報が表示されている場合を例に挙げて説明する。
【００５９】
まず、表示部１１０−１〜１１０−３のいずれかに、複数の階層に分離可能な画像等の合成情報が表示されているかどうかを制御部１５０が判別する（ステップＳ２１）。
【００６０】
表示部１１０−１〜１１０−３のいずれかに、複数の階層に分離可能な画像等の合成情報が表示されていると判別されると、センサ１２０が、表示装置１００の振動を検知したかどうかを、制御部１５０が判別する（ステップＳ２２）。この振動は、表示装置１００を操作（所持）している操作者が、表示装置１００を振ることで生じるものである。このとき、センサ１２０は、振動センサ等を用いて、表示装置１００の振動を検知する。
【００６１】
センサ１２０が、表示装置１００の振動を第１の操作として検知したと、制御部１５０が判別すると、分離部１３０が、表示部１１０−１に表示されている合成情報を表示部１１０−１よりも下層に位置する各表示部に表示させるために、複数の階層に分離する（ステップＳ２３）。
【００６２】
続いて、分離部１３０が分離した階層を、制御部１５０が表示部１１０−１〜１１０−３に表示させる（ステップＳ２４）。
【００６３】
次に、図１に示した表示装置１００における表示方法のうち、図１に示したセンサ１２０が、表示部１１０−１〜１１０−３の表示面への押下を第１の操作として検知した場合の処理について説明する。
【００６４】
図８は、図１に示した表示装置１００における表示方法のうち、図１に示したセンサ１２０が、表示部１１０−１〜１１０−３の表示面への押下を第１の操作として検知した場合の処理を説明するためのフローチャートである。ここでは、表示部１１０−１に合成情報が表示されている場合を例に挙げて説明する。
【００６５】
まず、表示部１１０−１〜１１０−３のいずれかに、複数の階層に分離可能な画像等の合成情報が表示されているかどうかを制御部１５０が判別する（ステップＳ３１）。
【００６６】
表示部１１０−１〜１１０−３のいずれかに、複数の階層に分離可能な画像等の合成情報が表示されていると判別されると、センサ１２０が、表示部１１０−１〜１１０−３のうち合成情報が表示されている表示部１１０−１の表示面への押圧を検知したかどうかを、制御部１５０が判別する（ステップＳ３２）。このとき、センサ１２０は、圧力センサ等を用いて、指等の接触体の表示面への押圧を検知する。
【００６７】
センサ１２０が、表示部１１０−１の表示面への押圧を第１の操作として検知したと、制御部１５０が判別すると、分離部１３０が、表示部１１０−１に表示されている合成情報を複数の階層に分離する（ステップＳ３３）。
【００６８】
続いて、分離部１３０が分離した階層を、制御部１５０が表示部１１０−１〜１１０−３に表示させる（ステップＳ３４）。
【００６９】
次に、図１に示した表示装置１００における表示方法のうち、図１に示したセンサ１２０が、表示装置１００の傾きの変化を第１の操作として検知した場合の処理について説明する。
【００７０】
図９は、図１に示した表示装置１００における表示方法のうち、図１に示したセンサ１２０が、表示装置１００の傾きの変化を第１の操作として検知した場合の処理を説明するためのフローチャートである。ここでは、表示部１１０−１に合成情報が表示されている場合を例に挙げて説明する。
【００７１】
まず、表示部１１０−１〜１１０−３のいずれかに、複数の階層に分離可能な画像等の合成情報が表示されているかどうかを制御部１５０が判別する（ステップＳ４１）。
【００７２】
表示部１１０−１〜１１０−３のいずれかに、複数の階層に分離可能な画像等の合成情報が表示されていると判別されると、センサ１２０が、表示装置１００の傾きの変化を検知したかどうかを、制御部１５０が判別する（ステップＳ４２）。ここで、センサ１２０が検知する表示装置１００の傾きの変化は、表示装置１００を立てた状態から寝かせた状態への変化である。つまり、センサ１２０が傾きセンサ等を用いて、表示装置１００が立てられていることを検知した後、表示装置１００が寝かされたことを検知したときに、これを第１の操作として検知する。
【００７３】
センサ１２０が、表示装置１００の傾きの変化を第１の操作として検知したと、制御部１５０が判別すると、分離部１３０が、表示部１１０−１に表示されている合成情報を複数の階層に分離する（ステップＳ４３）。
【００７４】
続いて、分離部１３０が分離した階層を、制御部１５０が表示部１１０−１〜１１０−３に表示させる（ステップＳ４４）。
【００７５】
次に、上述した処理で、合成情報が分離されて表示部１１０−１〜１１０−３に表示された階層を編集する処理について説明する。
【００７６】
図１０は、図１に示した表示装置１００における表示方法のうち、合成情報が分離されて表示部１１０−１〜１１０−３に表示された階層を編集する処理を説明するためのフローチャートである。
【００７７】
まず、合成情報が分離された階層が表示部１１０−１〜１１０−３に表示されているかどうかを、制御部１５０が判別する（ステップＳ５１）。
【００７８】
分離された階層が表示部１１０−１〜１１０−３に表示されている場合、それらの階層に対して、外部から編集の入力があるかどうかを編集部１６０が判別する（ステップＳ５２）。
【００７９】
編集の入力がある場合、編集部１６０は、その入力に従って、階層を編集する（ステップＳ５３）。この編集方法は、ペイント用アプリケーションを用いて、色を塗ったり、文字編集用アプリケーションを用いて、文字データを編集したり、お絵かきアプリケーションを用いて、絵を追加したりするものであり、一般的に用いられている方法で良く、ここでは特に規定しない。
【００８０】
そして、制御部１５０は、ステップＳ５３で編集された階層を表示部１１０−１〜１１０−３に表示させる（ステップＳ５４）。
【００８１】
次に、図１に示した表示装置１００における表示方法のうち、図１に示したセンサ１２０が、表示部１１０−１〜１１０−３の背面を叩く操作を第２の操作として検知した場合の処理について説明する。
【００８２】
図１１は、図１に示した表示装置１００における表示方法のうち、図１に示したセンサ１２０が、表示部１１０−１〜１１０−３の背面を叩く操作を第２の操作として検知した場合の処理を説明するためのフローチャートである。ここでは、表示部１１０−１〜１１０−３それぞれに合成情報が分離された各階層が表示されている場合を例に挙げて説明する。
【００８３】
まず、表示部１１０−１〜１１０−３それぞれに、合成情報が分離された複数の階層それぞれが表示されているかどうかを制御部１５０が判別する（ステップＳ６１）。
【００８４】
表示部１１０−１〜１１０−３それぞれに、合成情報が分離された複数の階層それぞれが表示（例えば、図５に示したような表示）されていると判別されると、センサ１２０が、表示部１１０−１〜１１０−３のうちいずれかの背面を叩く操作を第２の操作として検知したかどうかを、制御部１５０が判別する（ステップＳ６２）。
【００８５】
センサ１２０が、表示部１１０−１〜１１０−３のうちいずれかの背面を叩く操作を第２の操作として検知したと、制御部１５０が判別すると、合成部１４０が、表示部１１０−１〜１１０−３それぞれに表示されている複数の階層を１つの合成情報に合成する（ステップＳ６３）。このとき、合成部１４０は、背面を叩く操作を検知した表示部から前面側に位置する表示部に表示されている階層のみを合成するものであっても良い。つまり、図５に示した階層表示を例に挙げて説明すると、センサ１２０が表示部１１０−２の背面を叩く操作を第２の操作として検知した場合、合成部１４０は、表示部１１０−１に表示されている階層と、表示部１１０−２に表示されている階層とのみを合成する（表示部１１０−３に表示されている階層は合成しない）ものであっても良い。この場合、表示部１１０−３の背面を叩く操作をセンサ１２０が検知すれば、合成部１４０は、すべての表示部１１０−１〜１１０−３それぞれに表示されている階層を合成する。
【００８６】
続いて、合成部１４０が合成した合成情報を、制御部１５０が表示部１１０−１〜１１０−３のいずれかに表示（例えば、図４に示したような表示）させる（ステップＳ６４）。この合成情報を表示する表示部は、表示部１１０−１〜１１０−３のうち、最前面に位置するものであることが好ましい。また、合成情報を表示後、合成情報を表示していない表示部には、合成前の各階層が表示されたままになっていても良い。
【００８７】
次に、図１に示した表示装置１００における表示方法のうち、図１に示したセンサ１２０が、表示部１１０−１〜１１０−３の背面への接触を第２の操作として検知した場合の処理について説明する。
【００８８】
図１２は、図１に示した表示装置１００における表示方法のうち、図１に示したセンサ１２０が、表示部１１０−１〜１１０−３の背面への接触を第２の操作として検知した場合の処理を説明するためのフローチャートである。ここでは、表示部１１０−１〜１１０−３それぞれに合成情報が分離された各階層が表示されている場合を例に挙げて説明する。
【００８９】
まず、表示部１１０−１〜１１０−３それぞれに、合成情報が分離された複数の階層それぞれが表示されているかどうかを制御部１５０が判別する（ステップＳ７１）。
【００９０】
表示部１１０−１〜１１０−３それぞれに、合成情報が分離された複数の階層それぞれが表示（例えば、図５に示したような表示）されていると判別されると、センサ１２０が、表示部１１０−１〜１１０−３のうちいずれかの背面への接触を第２の操作として検知したかどうかを、制御部１５０が判別する（ステップＳ７２）。
【００９１】
センサ１２０が、表示部１１０−１〜１１０−３のうちいずれかの背面への接触を第２の操作として検知したと、制御部１５０が判別すると、合成部１４０が、表示部１１０−１〜１１０−３それぞれに表示されている複数の階層を１つの合成情報に合成する（ステップＳ７３）。このとき、合成部１４０は、背面への接触を検知した表示部から前面側に位置する表示部に表示されている階層のみを合成するものであっても良い。つまり、図５に示した階層表示を例に挙げて説明すると、センサ１２０が表示部１１０−２の背面への接触を第２の操作として検知した場合、合成部１４０は、表示部１１０−１に表示されている階層と、表示部１１０−２に表示されている階層とのみを合成する（表示部１１０−３に表示されている階層は合成しない）ものであっても良い。この場合、表示部１１０−３の背面への接触をセンサ１２０が検知すれば、合成部１４０は、すべての表示部１１０−１〜１１０−３それぞれに表示されている階層を合成する。
【００９２】
続いて、合成部１４０が合成した合成情報を、制御部１５０が表示部１１０−１〜１１０−３のいずれかに表示（例えば、図４に示したような表示）させる（ステップＳ７４）。この合成情報を表示する表示部は、表示部１１０−１〜１１０−３のうち、最前面に位置するものであることが好ましい。また、合成情報を表示後、合成情報を表示していない表示部には、合成前の各階層が表示されたままになっていても良い。
【００９３】
次に、図１に示した表示装置１００における表示方法のうち、図１に示したセンサ１２０が、表示装置１００の振動を第２の操作として検知した場合の処理について説明する。
【００９４】
図１３は、図１に示した表示装置１００における表示方法のうち、図１に示したセンサ１２０が、表示装置１００の振動を第２の操作として検知した場合の処理を説明するためのフローチャートである。ここでは、表示部１１０−１〜１１０−３それぞれに合成情報が分離された各階層が表示されている場合を例に挙げて説明する。
【００９５】
まず、表示部１１０−１〜１１０−３それぞれに、合成情報が分離された複数の階層それぞれが表示されているかどうかを制御部１５０が判別する（ステップＳ８１）。
【００９６】
表示部１１０−１〜１１０−３それぞれに、合成情報が分離された複数の階層それぞれが表示（例えば、図５に示したような表示）されていると判別されると、センサ１２０が、表示装置１００の振動を第２の操作として検知したかどうかを、制御部１５０が判別する（ステップＳ８２）。この振動は、表示装置１００を操作（所持）している者が、表示装置１００を振ることで生じるものである。このとき、センサ１２０は、振動センサ等を用いて、表示装置１００の振動を検知する。
【００９７】
センサ１２０が、表示装置１００の振動を第２の操作として検知したと、制御部１５０が判別すると、合成部１４０が、表示部１１０−１〜１１０−３それぞれに表示されている複数の階層を１つの合成情報に合成する（ステップＳ８３）。
【００９８】
続いて、合成部１４０が合成した合成情報を、制御部１５０が表示部１１０−１〜１１０−３のいずれかに表示（例えば、図４に示したような表示）させる（ステップＳ８４）。この合成情報を表示する表示部は、表示部１１０−１〜１１０−３のうち、最前面位置するものであることが好ましい。また、合成情報を表示後、合成情報を表示していない表示部には、合成前の各階層が表示されたままになっていても良い。
【００９９】
次に、図１に示した表示装置１００における表示方法のうち、図１に示したセンサ１２０が、表示部１１０−１〜１１０−３の背面への押圧を第２の操作として検知した場合の処理について説明する。
【０１００】
図１４は、図１に示した表示装置１００における表示方法のうち、図１に示したセンサ１２０が、表示部１１０−１〜１１０−３の背面への押圧を第２の操作として検知した場合の処理を説明するためのフローチャートである。ここでは、表示部１１０−１〜１１０−３それぞれに合成情報が分離された各階層が表示されている場合を例に挙げて説明する。
【０１０１】
まず、表示部１１０−１〜１１０−３それぞれに、合成情報が分離された複数の階層それぞれが表示されているかどうかを制御部１５０が判別する（ステップＳ９１）。
【０１０２】
表示部１１０−１〜１１０−３それぞれに、合成情報が分離された複数の階層それぞれが表示（例えば、図５に示したような表示）されていると判別されると、センサ１２０が、表示部１１０−１〜１１０−３のうちいずれかの背面への押圧を第２の操作として検知したかどうかを、制御部１５０が判別する（ステップＳ９２）。
【０１０３】
センサ１２０が、表示部１１０−１〜１１０−３のうちいずれかの背面への押圧を第２の操作として検知したと、制御部１５０が判別すると、合成部１４０が、表示部１１０−１〜１１０−３それぞれに表示されている複数の階層を１つの合成情報に合成する（ステップＳ９３）。このとき、合成部１４０は、背面への押圧を検知した表示部から前面側に位置する表示部に表示されている階層のみを合成するものであっても良い。つまり、図５に示した階層表示を例に挙げて説明すると、センサ１２０が表示部１１０−２の背面への押圧を第２の操作として検知した場合、合成部１４０は、表示部１１０−１に表示されている階層と、表示部１１０−２に表示されている階層とのみを合成する（表示部１１０−３に表示されている階層は合成しない）ものであっても良い。この場合、表示部１１０−３の背面への押圧をセンサ１２０が検知すれば、合成部１４０は、すべての表示部１１０−１〜１１０−３それぞれに表示されている階層を合成する。
【０１０４】
続いて、合成部１４０が合成した合成情報を、制御部１５０が表示部１１０−１〜１１０−３のいずれかに表示（例えば、図４に示したような表示）させる（ステップＳ９４）。この合成情報を表示する表示部は、表示部１１０−１〜１１０−３のうち、最前面に位置するものであることが好ましい。また、合成情報を表示後、合成情報を表示していない表示部には、合成前の各階層が表示されたままになっていても良い。
【０１０５】
次に、図１に示した表示装置１００における表示方法のうち、図１に示したセンサ１２０が、表示装置１００の傾きの変化を第２の操作として検知した場合の処理について説明する。
【０１０６】
図１５は、図１に示した表示装置１００における表示方法のうち、図１に示したセンサ１２０が、表示装置１００の傾きの変化を第２の操作として検知した場合の処理を説明するためのフローチャートである。ここでは、表示部１１０−１〜１１０−３に合成情報が分離された各階層が表示されている場合を例に挙げて説明する。
【０１０７】
まず、表示部１１０−１〜１１０−３それぞれに、合成情報が分離された複数の階層それぞれが表示されているかどうかを制御部１５０が判別する（ステップＳ１０１）。
【０１０８】
表示部１１０−１〜１１０−３それぞれに、合成情報が分離された複数の階層それぞれが表示（例えば、図５に示したような表示）されていると判別されると、センサ１２０が、表示装置１００の傾きの変化を第２の操作として検知したかどうかを、制御部１５０が判別する（ステップＳ１０２）。ここで、センサ１２０が検知する表示装置１００の傾きの変化は、表示装置１００を寝かせた状態から立てた状態への変化である。つまり、センサ１２０が傾きセンサ等を用いて、表示装置１００が寝かされたことを検知した後、表示装置１００が立てられていることを検知したときに、これを第２の操作として検知する。
【０１０９】
センサ１２０が、表示装置１００の傾きの変化を第２の操作として検知したと、制御部１５０が判別すると、合成部１４０が、表示部１１０−１〜１１０−３それぞれに表示されている複数の階層を１つの合成情報に合成する（ステップＳ１０３）。
【０１１０】
続いて、合成部１４０が合成した合成情報を、制御部１５０が表示部１１０−１〜１１０−３のいずれかに表示（例えば、図４に示したような表示）させる（ステップＳ１０４）。この合成情報を表示する表示部は、表示部１１０−１〜１１０−３のうち、最前面に位置するものであることが好ましい。また、合成情報を表示後、合成情報を表示していない表示部には、合成前の各階層が表示されたままになっていても良い。
【０１１１】
次に、図１に示した表示装置１００における表示方法のうち、図１に示したセンサ１２０が、表示部１１０−１〜１１０−３の表示面への接触と背面への接触とを、第２の操作として検知した場合の処理について説明する。
【０１１２】
図１６は、図１に示した表示装置１００における表示方法のうち、図１に示したセンサ１２０が、表示部１１０−１〜１１０−３の表示面への接触と背面への接触とを、第２の操作として検知した場合の処理を説明するためのフローチャートである。ここでは、表示部１１０−１〜１１０−３に合成情報が分離された各階層が表示されている場合を例に挙げて説明する。
【０１１３】
まず、表示部１１０−１〜１１０−３それぞれに、合成情報が分離された複数の階層それぞれが表示されているかどうかを制御部１５０が判別する（ステップＳ１１１）。
【０１１４】
表示部１１０−１〜１１０−３それぞれに、合成情報が分離された複数の階層それぞれが表示（例えば、図５に示したような表示）されていると判別されると、センサ１２０が、表示部１１０−１〜１１０−３のうちいずれかの表示面への接触と背面への接触とを第２の操作として検知したかどうかを、制御部１５０が判別する（ステップＳ１１２）。
【０１１５】
センサ１２０が、表示部１１０−１〜１１０−３のうちいずれかの表示面への接触と背面への接触とを第２の操作として検知したと、制御部１５０が判別すると、合成部１４０が、表示部１１０−１〜１１０−３それぞれに表示されている複数の階層を１つの合成情報に合成する（ステップＳ１１３）。
【０１１６】
ここで、センサ１２０が、表示部１１０−１の表示面への接触と、表示部１１０−２の背面への接触とを検知した場合、合成部１４０は、表示部１１０−１に表示されている階層と、表示部１１０−２に表示されている階層とを合成する。また、センサ１２０が、表示部１１０−２の表示面への接触と、表示部１１０−３の背面への接触とを検知した場合、合成部１４０は、表示部１１０−２に表示されている階層と、表示部１１０−３に表示されている階層とを合成する。また、センサ１２０が、最前面に位置する表示部１１０−１の表示面への接触と、最背面に位置する表示部１１０−３の背面への接触とを検知した場合、合成部１４０は、表示部１１０−１〜１１０−３それぞれに表示されている各階層を合成する。つまり、合成部１４０は、センサ１２０が表示面への接触を検知した表示部から、センサ１２０が背面への接触を検知した表示部までの表示部にそれぞれ表示されている複数の階層を合成する。これは、操作者が、合成したい複数の階層をそれぞれ表示している表示部をまとめて指で挟む（つまむ）操作を行うことで生ずる操作である。
【０１１７】
続いて、合成部１４０が合成した合成情報を、制御部１５０が表示部１１０−１〜１１０−３のいずれかに表示（例えば、図４に示したような表示）させる（ステップＳ１１４）。この合成情報を表示する表示部は、表示部１１０−１〜１１０−３のうち、センサ１２０が表示面への接触を検知した表示部であることが好ましい。また、合成情報を表示後、合成情報を表示していない表示部には、合成前の各階層が表示されたままになっていても良い。
【０１１８】
なお、制御部１５０は、どの表示部が合成情報を表示しているか、どの表示部がどの階層を表示しているかを、表示部の状態情報として記憶して管理するものであることは言うまでもない。
【０１１９】
このように、複数の階層から構成される情報を、各階層へ容易に分離することができ、さらに、分離された階層の合成を容易に行うことができる。
【０１２０】
上述した表示装置１００に設けられた各構成要素が行う処理は、目的に応じてそれぞれ作製された論理回路で行うようにしても良い。また、処理内容を手順として記述したコンピュータプログラム（以下、プログラムと称する）を表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００に内蔵されたＲＯＭ、ＲＡＭ等のメモリやＨＤＤ等を指す。この記録媒体に記録されたプログラムは、表示装置１００に設けられた制御部１５０にて読み込まれ、制御部１５０の制御によって、上述したものと同様の処理が行われる。ここで、制御部１５０は、プログラムが記録された記録媒体から読み込まれたプログラムを実行するコンピュータとして動作するものである。
【０１２１】
上記の実施の形態の一部または全部は、以下の付記のようにも記載されうるが、以下には限られない。
【０１２２】
（付記１）表示装置であって、
互いに重ね合わされた複数の表示部と、
前記複数の表示部のそれぞれの一辺を保持する保持部と、
当該表示装置に対する所定の操作を検知するセンサと、
前記複数の表示部のうちの第１の表示部に、複数の階層に分離可能な合成情報の表示中に、前記センサが第１の操作を検知した場合、前記合成情報を前記複数の階層に分離する分離部と、
前記分離部が分離した複数の階層それぞれを、前記複数の表示部それぞれに割り当てて表示可能にする制御部とを有する表示装置。
【０１２３】
（付記２）表示装置であって、
互いに重ね合わされた複数の表示部と、
前記複数の表示部のそれぞれの一辺を保持する保持部と、
当該表示装置に対する所定の操作を検知するセンサと、
前記複数の表示部それぞれに、複数の階層に分離可能な合成情報の該複数の階層それぞれが表示可能な状態で、前記センサが第２の操作を検知した場合、前記階層を合成情報として合成する合成部と、
前記合成部が合成した合成情報を、前記複数の表示部のうちの第１の表示部に割り当てて表示可能にする制御部とを有する表示装置。
【０１２４】
（付記３）付記１または付記２に記載の表示装置において、
前記第１の表示部は、前記複数の表示部の最前面に位置することを特徴とする表示装置。
【０１２５】
（付記４）付記１に記載の表示装置において、
前記センサは、前記第１の表示部の表示面を叩く操作を前記第１の操作として検知することを特徴とする表示装置。
【０１２６】
（付記５）付記１に記載の表示装置において、
前記センサは、前記第１の表示部の表示面への接触を前記第１の操作として検知することを特徴とする表示装置。
【０１２７】
（付記６）付記１に記載の表示装置において、
前記センサは、当該表示装置の振動を前記第１の操作として検知することを特徴とする表示装置。
【０１２８】
（付記７）付記１に記載の表示装置において、
前記センサは、前記第１の表示部の表示面への押圧を前記第１の操作として検知することを特徴とする表示装置。
【０１２９】
（付記８）付記１に記載の表示装置において、
前記センサは、当該表示装置の傾きの変化を前記第１の操作として検知することを特徴とする表示装置。
【０１３０】
（付記９）付記２に記載の表示装置において、
前記センサは、前記複数の階層それぞれを表示している複数の表示部のいずれかの背面を叩く操作を前記第２の操作として検知することを特徴とする表示装置。
【０１３１】
（付記１０）付記２に記載の表示装置において、
前記センサは、前記複数の階層それぞれを表示している複数の表示部のいずれかの背面への接触を前記第２の操作として検知することを特徴とする表示装置。
【０１３２】
（付記１１）付記２に記載の表示装置において、
前記センサは、当該表示装置の振動を前記第２の操作として検知することを特徴とする表示装置。
【０１３３】
（付記１２）付記２に記載の表示装置において、
前記センサは、前記複数の階層それぞれを表示している複数の表示部のいずれかの背面への押圧を前記第２の操作として検知することを特徴とする表示装置。
【０１３４】
（付記１３）付記２に記載の表示装置において、
前記センサは、当該表示装置の傾きの変化を前記第２の操作として検知することを特徴とする表示装置。
【０１３５】
（付記１４）付記２に記載の表示装置において、
前記センサは、前記複数の階層をそれぞれ表示している複数の表示部のうち、最前面の表示部の表示面への接触と、最背面の表示部の背面への接触とを、前記第２の操作として検知することを特徴とする表示装置。
【０１３６】
（付記１５）付記２に記載の表示装置において、
前記センサは、前記表示部の表示面への接触と、前記表示部の背面への接触とを、前記第２の操作として検知し、
前記合成部は、前記表示面への接触を検知した表示部から、前記背面への接触を検知した表示部までの表示部にそれぞれ表示されている複数の階層を合成することを特徴とする表示装置。
【０１３７】
（付記１６）付記２に記載の表示装置において、
前記複数の表示部それぞれに表示している階層に対して、編集を行う編集部を有し、
前記合成部は、前記編集部が編集した階層を前記合成情報として合成することを特徴とする表示装置。
【０１３８】
（付記１７）付記１または付記２に記載の表示装置において、
前記表示部は、電子ペーパーであることを特徴とする表示装置。
【符号の説明】
【０１３９】
１００    表示装置
１１０−１〜１１０−３    表示部
１２０    センサ
１３０    分離部
１４０    合成部
１５０    制御部
１６０    編集部
１７０    保持部
【図１】
2013068876.tif 000003
【図２】
2013068876.tif 000004
【図３】
2013068876.tif 000005
【図４】
2013068876.tif 000006
【図５】
2013068876.tif 000007
【図６】
2013068876.tif 000008
【図７】
2013068876.tif 000009
【図８】
2013068876.tif 000010
【図９】
2013068876.tif 000011
【図１０】
2013068876.tif 000012
【図１１】
2013068876.tif 000013
【図１２】
2013068876.tif 000014
【図１３】
2013068876.tif 000015
【図１４】
2013068876.tif 000016
【図１５】
2013068876.tif 000017
【図１６】
2013068876.tif 000018